(57)【特許請求の範囲】
【請求項１】
クライアント端末とサーバコンピュータとが接続される電子カルテ表示システムであって、
前記サーバコンピュータに設けられ、患者毎に医師からの指示に基づく実施項目の情報が所定期間分の実施カレンダとして格納される指示項目実施カレンダＤＢと、
前記クライアント端末に設けられ、実施項目とカレンダ表示期間を入力する入力手段および前記サーバコンピュータから読み出した前記実施カレンダを表示するディスプレイ装置と、を具備し、
前記サーバコンピュータは、前記クライアント端末から入力された前記実施項目と前記カレンダ表示期間に応じた前記実施カレンダを前記指示項目実施カレンダＤＢから読み出して前記クライアント端末に送信すると共に、前記指示項目実施カレンダＤＢを参照して前記カレンダ表示期間を基点とする過去方向および未来方向のカレンダ表示期間外のスケジュール有無情報を前記実施項目毎に生成して前記クライアント端末に送信し、
前記クライアント端末は、前記ディスプレイ装置に受信した前記実施カレンダを表示すると共に、その表示された実施カレンダの左右又は上下の領域に設けられた実施項目毎の指示ボタンを前記スケジュール有情報に応じて活性し、前記スケジュール無情報に応じて不活性とする
ことを特徴とする電子カルテ表示システム。
【請求項２】
前記サーバコンピュータにはカルテ情報管理ＤＢが更に設けられ、
前記指示項目実施カレンダＤＢに格納される前記実施カレンダは、前記カルテ情報管理ＤＢから自動作成されることを特徴とする請求項１に記載の電子カルテ表示システム。
【請求項３】
前記サーバコンピュータは、前記活性した状態にある前記指示ボタンの１つが指示された時、前記指示項目実施カレンダＤＢをアクセスして、指示された指示ボタンが示す実施項目であって、且つ前記カレンダ期間外の最も近い過去方向又は未来方向に記録されている実施項目の実施日を検索し、その実施日を含む新たな実施カレンダを前記クライアント端末に送信することを特徴とする請求項１に記載の電子カルテ表示システム。
【請求項４】
前記クライアント端末は、受信した前記新たな実施カレンダを表示する時、前記カレンダ期間外の最も近い過去方向又は未来方向の前記実施日の実施項目情報を前記新たな実施カレンダの最端に表示することを特徴とする請求項３に記載の電子カルテ表示システム。
【請求項５】
前記サーバコンピュータはまた、前記指示項目実施カレンダＤＢをアクセスして、前記新たな実施カレンダのカレンダ表示期間を基点とする過去方向および未来方向のカレンダ表示期間外の新たなスケジュール有無情報を前記実施項目毎に生成して前記クライアント端末に送信し、
前記クライアント端末は、前記ディスプレイ装置に受信した前記新たな実施カレンダを表示すると共に、前記実施項目毎の指示ボタンを前記新たなスケジュール有情報に応じて活性し、前記新たなスケジュール無情報に応じて不活性とすることを特徴とする請求項３に記載の電子カルテ表示システム。
【請求項６】
患者毎に医師からの指示に基づく実施項目の情報が所定期間分の実施カレンダとして格納される指示項目実施カレンダＤＢを有するサーバコンピュータと、実施項目とカレンダ表示期間を入力する入力手段および前記サーバコンピュータから読み出した前記実施カレンダを表示するディスプレイ装置とを有するクライアント端末とが接続される電子カルテ表示システムの前記サーバコンピュータで実行される表示プログラムであって、
前記クライアント端末から入力された前記実施項目と前記カレンダ表示期間に応じた前記実施カレンダを前記指示項目実施カレンダＤＢから読み出して前記クライアント端末に送信し、
前記指示項目実施カレンダＤＢを参照して前記カレンダ表示期間を基点とする過去方向および未来方向のカレンダ表示期間外のスケジュール有無情報を前記実施項目毎に生成して前記クライアント端末に送信する
ことを特徴とする表示プログラム。
【請求項７】
患者毎に医師からの指示に基づく実施項目の情報が所定期間分の実施カレンダとして格納される指示項目実施カレンダＤＢを有するサーバコンピュータと、実施項目とカレンダ表示期間を入力する入力手段および前記サーバコンピュータから読み出した前記実施カレンダを表示するディスプレイ装置とを有するクライアント端末とが接続される電子カルテ表示システムの前記クライアント端末で実行される表示プログラムであって、
前記サーバコンピュータの前記指示項目実施カレンダＤＢから読み出された前記実施項目と前記カレンダ表示期間に応じた前記実施カレンダを受信し、
前記サーバコンピュータで生成された前記カレンダ表示期間を基点とする過去方向および未来方向のカレンダ表示期間外のスケジュール有無情報を受信し、
前記ディスプレイ装置に受信した前記実施カレンダを表示すると共に、その表示された実施カレンダの左右又は上下の領域に設けられた実施項目毎の指示ボタンを前記スケジュール有情報に応じて活性し、前記スケジュール無情報に応じて不活性とする
ことを特徴とする表示プログラム。
【発明の詳細な説明】
【技術分野】
【０００１】
本発明は、電子カルテ表示システムおよび表示プログラムに関する。
【背景技術】
【０００２】
患者の診療に際しては、カルテを見ながら過去の病歴や、直近および現在の症状などを参考にしながら診療／治療が行われる。カルテの電子化に伴い、患者の電子カルテから必要な情報を探し出すのに多くの時間が掛かることがある。例えば、診療／治療／入院／手術などが多い患者の電子カルテは、その都度、沢山の情報がカルテ上に記録されているため、画面に過去の情報や今後の予定情報を順次情報を表示して、欲しい診療情報を探し出さなければならない。そのため、見たい診療情報を素早く見つけ出すことが困難な場合がある。
【０００３】
例えば、カルテ２号用紙を検索するだけの方法では、カルテに記載された内容だけしか確認でいないため、必要とする項目が記載されたカルテを見つけ出すために、多くの作業時間を費やすことがある。
【０００４】
また、経過表から検索する方法では、経過表には医療行為の予定／実績がカレンダ上に表示されるスタイルであるため、特定の項目についてカレンダ表示期間外の予定／実績を探す場合、カレンダの表示期間を移動して探さなければならない。
【０００５】
出願人は、紙カルテにおけるボリューム感が実感でき、かつ作業性のよいカルテボリュームインジケータ機能を有する電子カルテシステムを発明し、カルテ全体のボリュームを画面に表示すると共に、特定位置がクリックされた場合、当該クリック位置の日付又はその直近又はその近辺の電子カルテ又は看護カルテ又はワークシートをデータベースから読み出し表示すること先に提案している（特許文献１参照）。
【０００６】
また、特開２００１−１０１３２２号公報には、時間帯によって事象を表示する幅を変化させて出力することが発明されている。
【先行技術文献】
【特許文献】
【０００７】
【特許文献１】特開２００９−１７６０４１号公報
【特許文献２】特開２００１−１０１３２２号公報
【発明の概要】
【発明が解決しようとする課題】
【０００８】
しかしながら、画面に表示されている期間のみならず、その前後の期間であっても現在の表示されている項目に関連するものがあるか否かの判断が、上述した特許文献１，２では判断出来ない。
【０００９】
そこで本発明は、患者（被検体）への医療行為の予定／実績の検索を容易にすることができるカルテのナビゲーション機能を有する電子カルテ表示システムおよび表示プログラムを提供することを目的とする。
【課題を解決するための手段】
【００１０】
上記目的を達成するために、本発明の電子カルテ表示システムは、クライアント端末とサーバコンピュータとが接続される電子カルテ表示システムであって、前記サーバコンピュータに設けられ、患者毎に医師からの指示に基づく実施項目の情報が所定期間分の実施カレンダとして格納される指示項目実施カレンダＤＢと、前記クライアント端末に設けられ、実施項目とカレンダ表示期間を入力する入力手段および前記サーバコンピュータから読み出した前記実施カレンダを表示するディスプレイ装置と、を具備し、前記サーバコンピュータは、前記クライアント端末から入力された前記実施項目と前記カレンダ表示期間に応じた前記実施カレンダを前記指示項目実施カレンダＤＢから読み出して前記クライアント端末に送信すると共に、前記指示項目実施カレンダＤＢを参照して前記カレンダ表示期間を基点とする過去方向および未来方向のカレンダ表示期間外のスケジュール有無情報を前記実施項目毎に生成して前記クライアント端末に送信し、前記クライアント端末は、前記ディスプレイ装置に受信した前記実施カレンダを表示すると共に、その表示された実施カレンダの左右又は上下の領域に設けられた実施項目毎の指示ボタンを前記スケジュール有情報に応じて活性し、前記スケジュール無情報に応じて不活性とすることを特徴とする。
【００１１】
また、本発明の表示プログラムは、患者毎に医師からの指示に基づく実施項目の情報が所定期間分の実施カレンダとして格納される指示項目実施カレンダＤＢを有するサーバコンピュータと、実施項目とカレンダ表示期間を入力する入力手段および前記サーバコンピュータから読み出した前記実施カレンダを表示するディスプレイ装置とを有するクライアント端末とが接続される電子カルテ表示システムの前記サーバコンピュータで実行される表示プログラムであって、前記クライアント端末から入力された前記実施項目と前記カレンダ表示期間に応じた前記実施カレンダを前記指示項目実施カレンダＤＢから読み出して前記クライアント端末に送信し、前記指示項目実施カレンダＤＢを参照して前記カレンダ表示期間を基点とする過去方向および未来方向のカレンダ表示期間外のスケジュール有無情報を前記実施項目毎に生成して前記クライアント端末に送信することを特徴とする。
【００１２】
また、本発明の表示プログラムは、患者毎に医師からの指示に基づく実施項目の情報が所定期間分の実施カレンダとして格納される指示項目実施カレンダＤＢを有するサーバコンピュータと、実施項目とカレンダ表示期間を入力する入力手段および前記サーバコンピュータから読み出した前記実施カレンダを表示するディスプレイ装置とを有するクライアント端末とが接続される電子カルテ表示システムの前記クライアント端末で実行される表示プログラムであって、前記サーバコンピュータの前記指示項目実施カレンダＤＢから読み出された前記実施項目と前記カレンダ表示期間に応じた前記実施カレンダを受信し、前記サーバコンピュータで生成された前記カレンダ表示期間を基点とする過去方向および未来方向のカレンダ表示期間外のスケジュール有無情報を受信し、前記ディスプレイ装置に受信した前記実施カレンダを表示すると共に、その表示された実施カレンダの左右又は上下の領域に設けられた実施項目毎の指示ボタンを前記スケジュール有情報に応じて活性し、前記スケジュール無情報に応じて不活性とすることを特徴とする。
【発明の効果】
【００１３】
本発明によれば、電子カルテのナビゲーション機能により、患者（被検体）への医療行為の予定／実績の簡単に検索することができる。
【図面の簡単な説明】
【００１４】
【図１】本実施形態に係る電子カルテ表示システムの構成を示すブロック図。
【図２】本実施形態に係るサーバコンピュータとクライアント端末の詳細な構成を示す図。
【図３】本実施形態に係る電子カルテの表示例を示す図。
【図４】本実施形態に係る電子カルテ表示システムの動作を示すフローチャート。
【図５】本実施形態の動作例で、「2009/9/23、神経科、入院」のデータが左端に存在する状態で、“検体検査”の前ボタンを押下した場合の表示例。
【図６】本実施形態の動作例で、「2009/9/27、神経科、外来」のデータが右端に存在する状態で、“検体検査”の次ボタンを押下した場合の表示例。
【図７】本実施形態の動作例で、「2009/9/21、外科、外来」のデータが右端に存在する状態で、“与薬”の前ボタンを押下した場合の表示例。
【発明を実施するための形態】
【００１５】
以下、図面を参照しながら本発明の実施形態を説明する。
【００１６】
（実施例）
図１は、本発明の実施形態に係る電子カルテ表示システムの構成を示すブロック図である。本実施形態に係る電子カルテ表示システムは、ネットワークＬＡＮに接続される複数の医師用クライアント端末１０、複数の看護師用クライアント端末２０、各種のデータベースＤＢを有するサーバコンピュータ５０によって構成されている。
【００１７】
サーバコンピュータ５０に設けられるデータベースＤＢとして、ここでは指示項目実施カレンダＤＢ６０、カルテ情報管理ＤＢ７０、患者情報ＤＢ８０を示している。その他に、サーバコンピュータ５０には、医事会計に関するデータベースや、薬剤に関するデータベース、医師・看護師等の勤務に関するデータベースなどが設けられるが、本発明と直接管理しないので、それらは省略している。
【００１８】
また、ネットワークとしてローカルエリアネットワークＬＡＮを示しているが、それ以外の接続、例えばインターネット接続や専用回線による接続でも構わない。また、クライアント端末として、他に医事会計用の端末や薬事用の端末などが接続されているが、それらも省略している。
【００１９】
図２は、本実施形態に係るサーバコンピュータ５０とクライアント端末３０の詳細な構成を示す図である。図２のクライアント端末３０としては、医師用クライアント端末１０であっても、看護師用クライアント端末２０であってもよい。なお、図２ではネットワークＬＡＮは省略している。また、サーバコンピュータ５０とクライアント端末３０の間は、周知のネットワーク技術によりデータの交信が行なわれるものとする。
【００２０】
クライアント端末３０には、キーボードやマウスなどの入力装置３２とＬＣＤ等のディスプレイ装置３５が接続されている。また、内部には、カルテ入力制御部３０ａ、実施項目要求部３０ｂ、実施項目受信部３０ｃなどが設けられている。これらの装置は、図示しないＣＰＵと制御プログラムによっても達成することができる。
【００２１】
一方、サーバコンピュータ５０には、上述したデータベースＤＢの他にカルテ登録機能部５０ａ、カルテ指示項目分解機能部５０ｂ、カルテ指示項目参照機能部５０ｃなどが設けられている。これらの装置も、図示しないＣＰＵと制御プログラムによっても達成することができる。
【００２２】
図３は、本実施形態に係る電子カルテを読み出す時に使用するナビゲーション画面の表示例を示す図である。図４は、本実施形態に係る電子カルテ表示システムの動作を示すフローチャートである。なお、図４では、左側にサーバコンピュータ５０の動作を示し、右側にはクライアント端末３０の動作を示している。
【００２３】
次に、図１乃至図４を参照して、本実施形態の動作を説明する。ここでは、カルテ情報管理ＤＢ７０からカルテ情報を読み出して、ディスプレイ装置３５のカルテ入力画面が表示されているとして説明する。なお、電子カルテ表示システムの対象者（被検体）は、外来患者又は入院患者のいずれであってもよい。
【００２４】
本システムの前提として、医師は、クライアント端末１０を用いて、診察した患者の病名や、症状に関する情報、投与する薬の名前、投与する薬の量、投与する時間などの情報を入力装置（３２）から入力する。その入力情報は、カルテ入力制御部（３０ａ）によりディスプレイ装置（３５）のカルテ入力画面上に表示される。医師は、ディスプレイ装置（３５）のカルテ入力画面上に表示された内容を確認して、患者の診察とカルテ入力処理を終える。また、その入力した情報は、カルテ入力制御部（３０ａ）からカルテ情報管理ＤＢ７０に反映すべく、サーバコンピュータ５０のカルテ登録機能部５０ａに送信される。カルテ登録機能部５０ａは、受信した入力情報をカルテ情報管理ＤＢ７０の同じ患者のカルテ情報に書き込み、カルテ情報を蓄積して行く。
【００２５】
また看護師は、クライアント端末２０に治療を実施する患者のカルテ情報をサーバコンピュータ５０のカルテ情報管理ＤＢ７０から読み出し、医師から指示された指示情報を確認して、必要な治療を実施する。看護師によって実施された内容は、クライアント端末３０からサーバコンピュータ５０のカルテ登録機能部５０ａに送信され、カルテ情報管理ＤＢ７０に反映される。
【００２６】
このような病院情報システムが稼動する中で、本実施形態では、サーバコンピュータ５０のカルテ指示項目分解機能部５０ｂは、カルテ情報管理ＤＢ７０に蓄積される電子カルテ情報の中から、医師からのオーダ情報（指示情報）に関する患者への実施項目（実施予定項目も含む）を抽出する（図４のステップＳ１００）。
【００２７】
そして、カルテ指示項目分解機能部５０ｂは、ステップＳ１００で抽出した内容から患者毎の実施カレンダ（Ｙ軸に実施項目、Ｘ軸に期間）を自動作成する。また、カルテ指示項目分解機能部５０ｂは、作成した実施カレンダを指示項目実施カレンダＤＢ６０に格納する（ステップＳ１１０）。こうして、指示項目実施カレンダＤＢ６０には、患者毎に、医師からの指示に基づく実施項目の情報が所定期間分の実施カレンダとして格納される。なお、実施カレンダは、電子カルテ情報の更新に応じて定期的に更新されるものである。
【００２８】
ここで、使用者によって、クライアント端末３０の入力装置３２からある患者の実施項目の検索入力が行われたとする（ステップＳ２００）。この時、クライアント端末３０のディスプレイ装置３５には、検索時に使用するアプリケーションによってナビゲーション画面が表示される。そのナビゲーション画面には、画面に表示する「実施項目」の一覧と、画面に表示する「期間（カレンダ表示期間）」を入力欄が設けられおり、使用者がそれらの入力項目を適切に入力する。その入力情報は、実施項目要求部３０ｂからサーバコンピュータ５０のカルテ指示項目参照機能部５０ｃに送信される（ステップＳ１２０）。そして、カルテ指示項目参照機能部５０ｃは、受信した入力情報を基に指示項目実施カレンダＤＢ６０から「実施項目」の「期間（カレンダ表示期間）」分の実施カレンダを抽出して、クライアント端末３０に送信する（ステップＳ１３０）。
【００２９】
また、カルテ指示項目参照機能部５０ｃは、カレンダ表示期間を基点として、指示項目実施カレンダＤＢ６０から各「実施項目」の「期間外」（過去方向）のスケジュール有無を生成して、クライアント端末３０に送信する（ステップＳ１４０）。
【００３０】
また、カルテ指示項目参照機能部５０ｃは、カレンダ表示期間を基点として、指示項目実施カレンダＤＢ６０から各「実施項目」の「期間外」（未来方向）のスケジュール有無を生成して、クライアント端末３０に送信して（ステップＳ１５０）、処理を終了する。
【００３１】
一方、クライアント端末３０の実施項目受信部３０ｃは、ステップＳ１３０で受信した実施カレンダをディスプレイ装置３５に表示する（ステップＳ２１０）。
【００３２】
また、実施項目受信部３０ｃは、ステップＳ１４０でスケジュール“有り”を受信した場合、該当する実施項目の“前ボタン”を活性して表示する。一方、ステップＳ１４０でスケジュール“無し”を受信した場合、該当する実施項目の“前ボタン”を不活性とする（ステップＳ２２０）。
【００３３】
また、実施項目受信部３０ｃは、ステップＳ１５０でスケジュール“有り”を受信した場合、該当する実施項目の“次ボタン”を活性して表示する。一方、ステップＳ１５０でスケジュール“無し”を受信した場合、該当する実施項目の“次ボタン”を不活性とする（ステップＳ２３０）。
【００３４】
図３には、ステップＳ２１０，Ｓ２２０，Ｓ２３０でディスプレイ装置３５に表示されるナビゲーション画面の表示例を示している。ここでは、ある患者の２００９年９月２２日〜９月２８日までの実施項目について表示している。
【００３５】
即ち、実施項目受信部３０ｃがステップＳ２１０で受信した実施カレンダがナビゲーション画面の領域３５０に表示されている。また、ナビゲーション画面の左右の領域３６０、３７０には、実施項目毎に“前ボタン”３８０と、“次ボタン”３９０の指示ボタンが配置される構成としている。なお、図３では実施項目をＹ軸方向に設定したが、これをＸ軸方向に設定する場合、“前ボタン”３８０と“次ボタン”３９０は上下の位置に配置される。また、指示ボタンのデザインは、矢印であってもよい。
【００３６】
そして、実施項目受信部３０ｃは、ステップＳ１４０でスケジュール“有り”を受信した場合、該当する実施項目の“前ボタン”３８０を活性して表示する。また、ステップＳ１５０でスケジュール“有り”を受信した場合、該当する実施項目の“次ボタン”３９０を活性して表示する。一方、ステップＳ１４０，Ｓ１５０でスケジュール“無し”を受信した場合、該当する実施項目の“前ボタン”３８０と“次ボタン”３９０を不活性とする。図３の“前ボタン”３８０と“次ボタン”３９０において、黒三角ボタンは活性して表示を意味し、白三角ボタンは不活性の表示を意味している。
【００３７】
つまり、“前ボタン”３８０と“次ボタン”３９０は、カレンダ表示期間外に情報が存在する場合のみ活性状態となる。したがって、ナビゲーション画面の各実施項目の左右の領域３６０、３７０に表示される“前ボタン”３８０と“次ボタン”３９０の活性状態を確認するだけで、カレンダ表示期間外に情報が存在するか否かが一目で判断することができるため、使用者の操作性が著しく向上する。
【００３８】
また、ナビゲーション画面の領域３５０に表示されるマークを、例えば以下のように定義することにより、利用者にとって更に使い勝手のよい画面となる。
【００３９】
・オーダ未承認：第１の色（例えば、赤色）
・実施部門未受け付け：第２の色（例えば、紫色）
・実施開始前（オーダ修正可能（実施部門受け付け済み＆実施開始前））：第３の色（例えば黄色）
・実施中（未実施項目有り）：第４の色（例えば、緑色）
・完了済み：第５の色（例えば、青色）
上記したマークの設定は、サーバコンピュータ５０のカルテ指示項目参照機能部５０ｃで行ってもよく、又はクライアント端末３０の実施項目受信部３０ｃで行ってもよい。
【００４０】
なお、本実施形態では、医師からのオーダ情報（指示情報）に関する患者への実施項目を検索対象としたが、それ以外の特定項目であってもよい。また、各マークをクリックすることによって、詳細なカルテを読み出すようにしてもよい。
【００４１】
また、特定項目は、階層化してもよい。例えば、下位階層を折り畳むと、下位階層に含まれる項目全体に対しての前ボタン、次ボタンとなる。
【００４２】
更に、“前ボタン”３８０の押下、又は“次ボタン”３９０の押下により、カレンダの表示期間を移動させることができる。更に、移動させた日付を経過表やカルテ２号用紙の表示日付に反映させることができる。
【００４３】
図５は、「2009/9/23、神経科、入院」のデータが最左端に存在する状態（図５の（ａ））で、“検体検査”の前ボタン３８０ａを入力装置３５のマウスでクリック（１回押下）した場合の表示例を示している。その結果、図５の（ｂ）に示すように「2009/9/23、神経科、入院」のデータが左から３つ目の列に移動されて表示される。
【００４４】
即ち、実施項目の一つである“検体検査”の前ボタン３８０ａがクリックされたことが、実施項目要求部３０ｂからサーバコンピュータ５０のカルテ指示項目参照機能部５０ｃに通知される。これに応答して、カルテ指示項目参照機能部５０ｃは、指示項目実施カレンダＤＢ６０をアクセスして“検体検査”のカレンダ表示期間外で過去方向の最も近い検査日（実施日：）を検索して、その検査日（実施日）の情報をナビゲーション画面の領域３５０の最左端に表示するようにクライアント端末３０に送信する。且つ、カルテ指示項目参照機能部５０ｃは、当該検査日から同じ期間（未来方向）の新たな実施カレンダを読み出し、それをクライアント端末３０に送信してディスプレイ装置３５に表示する。これらの手順は、図４で説明した動作と同じである。図５の例では、前ボタン３８０ａのクリック操作に応答して「2009/9/21、神経科、入院」にジャンプし、その日が“検体検査”の過去方向の最も近い検査日であったことを示している。したがって、図５（ｂ）では、２００９年９月２１日〜９月２７日までの新たな実施カレンダが表示される。この場合、「検査３４５６７８９０」の次ボタン３９０ｂが活性表示に変更される。つまり、９／２８と９／２９の実施カレンダが画面から隠れる代わりに、次ボタン３９０ｂが活性表示に変更されることになる。
【００４５】
また、カルテ指示項目参照機能部５０ｃは、指示項目実施カレンダＤＢ６０をアクセスして“検体検査”のカレンダ表示期間外で過去方向の最も近い検査日を基点として、「期間外」（過去方向）のスケジュール有無を新たに生成して、クライアント端末３０に送信する。また、当該検査日を基点として、「期間外」（未来方向）のスケジュール有無を新たに生成して、クライアント端末３０に送信する。図５（ｂ）では、領域３６０の全次ボタンが不活性表示に変更される。つまり、それ以前には実施カレンダが無いことを意味している。
【００４６】
その結果、ディスプレイ装置３５のナビゲーション画面の領域３６０、３７０には、“検体検査”のカレンダ表示期間外で過去方向の最も近い検査日を基点とした新たな実施カレンダに、新たなカレンダ表示期間外の情報が活性状態又は不活性状態となって表示される。
【００４７】
図６の例では、「2009/9/27、神経科、入院」のデータが最右端に存在する状態（図６の（ａ））で、“検体検査”の次ボタン３９０ａを入力装置３５のマウスでクリック（１回押下）した場合の表示例を示している。その結果、図６の（ｂ）では、「2009/9/27、神経科、入院」のデータが右から３つ目の列に移動されて表示される。
【００４８】
即ち、実施項目の一つである“検体検査”の次ボタン３９０ａがクリックされたことが、実施項目要求部３０ｂからサーバコンピュータ５０のカルテ指示項目参照機能部５０ｃに通知される。これに応答して、カルテ指示項目参照機能部５０ｃは、指示項目実施カレンダＤＢ６０をアクセスして“検体検査”のカレンダ表示期間外で未来方向の最も近い検査日を検索して、その検査日の情報を最右端に表示するようにクライアント端末３０に送信する。且つ、カルテ指示項目参照機能部５０ｃは、当該検査日から同じ期間（過去方向）の新たな実施カレンダを読み出し、それをクライアント端末３０に送信してディスプレイ装置３５に表示する。
【００４９】
図６の例では、次ボタン３９０ａのクリック操作に応答して「2009/9/29、外科、外来」にジャンプし、その日が“検体検査”の未来方向の最も近い検査日であったことを示している。したがって、図６（ｂ）では、２００９年９月２３日〜９月２９日までの新たな実施カレンダが表示される。この場合、「診療録４５６７８９」、「与薬」、「検査３４５６７８９０」、「検体検査」、および「化学検査」の前ボタン３８０ｂが活性表示に変更される。つまり、９／２１と９／２２の実施カレンダが画面から隠れる代わりに、４つの前ボタン３８０ｂが活性表示に変更されることになる。
【００５０】
また、カルテ指示項目参照機能部５０ｃは、指示項目実施カレンダＤＢ６０をアクセスして“検体検査”のカレンダ表示期間外で未来方向の最も近い検査日を基点として、「期間外」（未来方向）のスケジュール有無を新たに生成して、クライアント端末３０に送信する。また、当該検査日を基点として、「期間外」（過去方向）のスケジュール有無を新たに生成して、クライアント端末３０に送信する。この場合、「検査３４５６７８９０」の次ボタン３９０ｃが不活性表示に変更される。
【００５１】
その結果、ディスプレイ装置３５のナビゲーション画面の領域３６０、３７０には、“検体検査”のカレンダ表示期間外で未来方向の最も近い検査日を基点とした新たな実施カレンダに、新たなカレンダ表示期間外の情報が活性状態又は不活性状態となって表示されることになる。
【００５２】
図７では、「2009/9/21、外科、外来」のデータが最右端に存在する状態（図７の（ａ））で、「与薬」の前ボタン３８０ｅのクリック操作に応答して「2008/2/16、外科、入院」にジャンプし、その日が“与薬”の過去方向の最も近い検査日であったことを示している。図７（ｂ）では、スケジュール有無に応じて２００８年２月１０日〜２月１６日までの新たな実施カレンダが表示される例を示している。この際、表示期間が変わった理由を表すために、前ボタン３８０ｅのラインを他のラインと異なる表示形式としている。これにより使用者は、何の操作で実施カレンダが切り替わったかが一目で分かるようになる。このように、前ボタン又は次ボタンのクリック操作により、直ちにそれに該当する検査日までジャンプすることができる。
【００５３】
本実施形態によれば、電子カルテのナビゲーション機能により、患者（被検体）への医療行為の予定／実績の簡単に検索することができる。
【００５４】
なお、本発明は上記実施形態に限定されることなく、本発明の要旨を逸脱しない範囲において適宜設計変更可能である。
【符号の説明】
【００５５】
１０，２０，３０‥クライアント端末
３０ａ‥カルテ入力制御部
３０ｂ‥実施項目要求部
３０ｃ‥実施項目受信部
３２‥入力装置
３５‥ディスプレイ装置
５０‥サーバコンピュータ
５０ａ‥カルテ登録機能部
５０ｂ‥カルテ指示項目分解機能部
５０ｃ‥カルテ指示項目参照部
６０‥指示項目実施カレンダＤＢ
７０‥カルテ情報管理ＤＢ
８０‥患者情報ＤＢ
【図１】
0005445951.tif 000002
【図２】
0005445951.tif 000003
【図３】
0005445951.tif 000004
【図４】
0005445951.tif 000005
【図５】
0005445951.tif 000006
【図６】
0005445951.tif 000007
【図７】
0005445951.tif 000008